(57)【要約】【課題】紙葉類の出し入れが極めて容易で、しかも紙葉類が容易に脱落しないようにすることができ、さらに、収納される紙葉類の情報保護機能も持たせることができる窓付きホルダーの技術を提供すること。【解決手段】表表紙１と裏表紙２の間に紙葉類３を出し入れする解放部４、５が設けられたホルダ本体６と、ホルダ本体６内に収容される紙葉類３の一部が露呈されるように、表表紙１に設けられた窓７と、窓７の部分に対応する裏表紙２に設けられ、紙葉類３の縁部分３１を差し込んで仮止めするための切り込み部８と、を備える。【選択図】      図１
2007008130.tif 000002
【特許請求の範囲】
【請求項１】
表表紙と裏表紙の間に紙葉類を出し入れする解放部が設けられたホルダ本体と、
前記ホルダ本体内に収容される紙葉類の一部が露呈されるように、前記表表紙の一部を解放部側から切り欠いて設けた窓と、
前記窓の部分に対応する裏表紙に設けられ、前記紙葉類の縁部分を差し込んで仮止めするための切り込み部と、
を備えることを特徴とする窓付きホルダー。
【請求項２】
前記ホルダ本体は、不透明な弾力性のある表紙材で形成されていることを特徴とする、請求項１に記載の窓付きホルダー。
【請求項３】
前記紙葉類には、その紙葉類の識別情報等を表示した表示部があり、前記窓は、前記紙葉類がホルダ本体内に収容された状態において前記表示部と対応する位置に設けられている、請求項１又は２に記載の窓付きホルダー。
【発明の詳細な説明】
【技術分野】
【０００１】
本発明は、表表紙と裏表紙との間に、書類やシート等の紙葉類を出し入れする解放部が設けられたホルダーの技術に関する。
【背景技術】
【０００２】
この種のホルダーとして、透明又は着色透明のクリアホルダーが広く知られている。このクリアホルダーは、二つ折りにした樹脂製シートの下端をシールして内部に紙葉類の収納部を形成したものが一般的である。
【０００３】
このクリアホルダーは、通常、平面矩形状であって、二つ折りした折り曲げ部と、下端のシール部との２辺が閉じられ、残りの２辺が紙葉類を出し入れする解放部として形成されている。この２辺を解放部するホルダーでは、収納されている紙葉類が脱落し易い問題がある。
【０００４】
この点を解決した技術が特許文献１に記載されている。この特許文献１に記載のクリアホルダーは、１枚のシートを折り曲げて重ね合わせ、その折り曲げ部に隣接する２辺を溶着等によりシールし、残りの１辺を紙葉類を出し入れする解放部とし、また、紙葉類の出し入れを容易にするために、表表紙に切り欠き部を設け、さらに、収納された紙葉類を取り出すことなく確認できるように、表表紙に切り抜き窓を設けたものである。
【０００５】
【特許文献１】特開２０００−１５９７２号公報
【発明の開示】
【発明が解決しようとする課題】
【０００６】
しかしながら、この従来のクリアホルダーは、次のような点で解決すべき課題がある。（１）特許文献１に記載のように、４辺のうちの３辺を閉じたホルダーでは、紙葉類が解放部から脱落し難い利点はあるものの、２辺が解放されているホルダーに比べて紙葉類を出し入れし難い欠点がある。
（２）また、４辺のうちの３辺を閉じるホルダーでは、シートの折り曲げ部に隣接する２辺を溶着等によりシールする必要があるため、シール工程を余分に必要とする。
（３）近年における、個人情報や機密情報保護の観点から、特定の利用者以外には機密にしておきたい内容を含む紙葉類がホルダ内に収納される場合も多々ある。しかし、既存のクリアファイルでは、これに対応することが難しいという問題がある。
【０００７】
よって、本発明の課題は、紙葉類の出し入れが極めて容易で、しかも紙葉類が容易に脱落しないようにすることができ、さらに、収納される紙葉類の情報保護機能も持たせることができる窓付きホルダーの技術を提供することにある。
【課題を解決するための手段】
【０００８】
前記課題を解決するため、本発明では以下の手段を採用した。
本発明の窓付きホルダーは、表表紙と裏表紙の間に紙葉類を出し入れする解放部が設けられたホルダ本体と、前記ホルダ本体内に収容される紙葉類の一部が露呈されるように、前記表表紙に設けられた窓と、前記窓の部分に対応する裏表紙に設けられ、前記紙葉類の縁部分を差し込んで仮止めするための切り込み部と、を備えることを特徴とする。
【０００９】
本発明によれば、ホルダ本体内に収容される紙葉類の一部が露呈するように、表表紙に窓を設けると共に、窓の部分に対応する裏表紙に切り込み部を設けたので、切り込み部を
利用して紙葉類を裏表紙に仮止めするだけで、紙葉類の脱落を防止することができる。また、窓と切り込み部とが対応した位置関係にあるので、その窓のスペースを利用して、紙葉類を切り込み部に仮止めする操作や、紙葉類を抜き出す操作等を容易に行うことができる。
【００１０】
本発明では、前記裏表紙に設けた切り込み部によって、舌片状の紙葉留めが形成されていることが望ましい。紙葉類の縁部を差し込んで仮止めするために必要な切り込み部の平面形状としては、種々の形態が考えられる。舌片状とすれば、仮止め操作を含む書類の出し入れ操作性の観点から好ましい形態となる。
【００１１】
本発明において、前記ホルダ本体は、不透明な表紙材で形成されていることが望ましい。ホルダ本体が不透明であっても、窓があるため、ホルダ本体内に収納された紙葉類の一部のみを直接見て確認できる上に、他の部分は見えないようにすることができる。これにより、収納された紙葉類が個人情報や機密情報等を含む紙葉類であっても、その保護機能を持たせることが可能になる。
【００１２】
前記表紙材としては、種々の素材を使用することができるが、制作製やコスト、素材の弾力性や耐久性あるいは耐水性等に配慮した場合、着色された弾力性のある樹脂製シートを使用することが望ましい。特に、切り込み部による舌片状の紙葉留めを形成する場合、紙葉留め自体が弾力性を有するような樹脂製シートで形成するのが好ましい。
【００１３】
前記窓は、前記解放部近くに位置し、かつ表表紙の一部を解放部側から切り欠いて形成した切り欠き窓であることが望ましい。なぜなら、この切り欠き窓の場合、１辺が解放部側に解放された窓となるので、例えば４辺で囲まれた抜き窓に比べて書類を抜き差し（出し入れ）し易い形態となるからである。
【００１４】
前記紙葉類には、その紙葉類の識別情報等を表示した表示部があり、前記窓は、前記紙葉類がホルダ本体内に収容された状態において前記表示部と対応する位置に設けられていることが望ましい。このように構成すれば、窓の機能を、紙葉類の出し入れ操作用、切り込み部への仮止め操作あるいは仮止め解除操作用の他に、紙葉類を抜き出すことなく、例えばインデックスのように最低限必要な識別情報等を確認できる情報保護機能等も併せて持たせることができる。
【発明の効果】
【００１５】
本発明の窓付きホルダーによれば、紙葉類の出し入れが極めて容易で、しかも紙葉類が容易に脱落しないようにすることができ、さらに、収納される紙葉類の情報保護機能も持たせることができる。
【発明を実施するための最良の形態】
【００１６】
以下、本発明の好適な実施の形態について、図面を参照して説明する。
図１は、本発明の実施例に係る窓付きホルダーの使用例を示す斜視図である。図２は窓付きホルダーの平面図である。図３は紙葉類を収納した状態の平面図である。図４は紙葉類の一例を示す平面図である。
【００１７】
（実施例）
この実施例の窓付きホルダーは、表表紙１と裏表紙２の間に紙葉類３を出し入れする解放部４、５が設けられたホルダ本体６と、ホルダ本体６内に収容される紙葉類３の一部が露呈されるように、表表紙１に設けられた窓７と、窓７の部分に対応する裏表紙２に設けられ、紙葉類（書類）３の縁部分３１を差し込んで仮止めするための切り込み部８とを備えている。
【００１８】
ホルダ本体６は、全体が例えば青色に着色された不透明の弾性のある樹脂製シートにより形成されている。従って、窓７を除き、表表紙１及び裏表紙２の何れの側からも内部の書類３が見えないように配慮されている。ホルダ本体６の表表紙１及び裏表紙２は一枚の樹脂製シートを二つ折りし、その下辺部１ａのみを溶着等の方法によりシールしたもので、上辺部分及び右辺部分が解放部４、５となるように形成されている。
【００１９】
窓７は、実施例では左上方の解放部４近くに配置され、かつ表表紙１の一部を解放部４側から切り欠いて形成した切り欠き窓として形成されている。この窓７の位置や大きさについては特に限定されないが、図示例の場合、縦３ｃｍ、横５ｃｍ前後の矩形状に形成されている。但し、切り欠き窓であるため、その一辺が解放部４に連続する形態で解放されている。
【００２０】
裏表紙２に設けた切り込み部８は、正面から見て概略Ｕ形状に切り込まれ、これにより、舌片状の紙葉留め８１が形成されている。この紙葉留め８１は舌片状であるため、書類３を挟み付けて保持するような弾力性を有している。なお、表表紙１の表面側には、名刺等を収容可能なポケット９が設けられている。
【００２１】
一方、書類３には、図４に示すように、個人情報や機密情報等が記載されており、その左上欄には、例えば社名、顧客Ｎｏ．等の識別情報を表示した表示部３２がある。これに対して、窓７は、図３に示すように、書類３がホルダ本体６内に収容された状態において表示部３２と対応する位置に設けられている。これにより、窓７の部分から表示部３２の識別情報が露呈している。従って、窓７の機能として、書類３を抜き出すことなく、インデックスのように最低限必要な識別情報等のみを確認可能な情報保護機能等を持たせることができる。
【００２２】
この実施例によれば、窓７の部分に対応する裏表紙２に切り込み部８を設けたので、この切り込み部８を利用して書類３を裏表紙２に仮止めするだけで、書類３の脱落を防止することができる。また、窓７と切り込み部８とが対応した位置関係にあるので、その窓７のスペースを利用して、書類３を切り込み部８に仮止めする操作や、書類３を抜き出す操作等を容易に行うことができる。
【００２３】
また、ホルダ本体６は、不透明な表紙材で形成した場合でも、窓７があるため、ホルダ本体６内に収納された書類３の一部のみを直接見て確認できる上に、他の部分は見えないようにすることができる。これにより、収納された書類３が個人情報や機密情報等を含む書類であっても、その保護機能を持たせることが可能になる。
【００２４】
また、表紙材として、着色された弾力性のある樹脂製シートを使用したことで、特に、切り込み部８による舌片状の紙葉留め８１自体に弾力性を持たせて仮止め機能を高めることができる。
【００２５】
また、窓７は、解放部４近くに位置し、かつ表表紙１の一部を解放部４側から切り欠いて形成した切り欠き窓としたので、１辺が解放部４側に解放された窓７となり、例えば４辺で囲まれた抜き窓に比べて書類を抜き差し（出し入れ）し易い形態とすることができる。
【００２６】
なお、本発明では、窓７を、解放部５近くの表表紙１に設け、その窓７部分に対応する裏表紙２に切り込み部８を設けた構成とすることもできる。また、窓７及び切り込み部８を対応させてそれぞれ二カ所設けることもできる。また、切り込み部８としては、書類３の四隅のうち一つの隅部分（例えば左上の隅部分）のみを差し込めるように、裏表紙２の
対応する隅部分にその隅部分を斜めに横切る切り込み部を設けた形態とするこもできる。
【図面の簡単な説明】
【００２７】
【図１】本発明の実施例に係る窓付きホルダーの斜視図である。
【図２】本発明の実施例に係る窓付きホルダーの平面図である。
【図３】本発明の実施例に係る窓付きホルダーの紙使用状態を示す平面図である。
【図４】本発明において使用される紙葉類の一例を示す平面図である。
【符号の説明】
【００２８】
１  表表紙
２  裏表紙
３  紙葉類（書類）
３１  縁部
３２  表示部
４  解放部
５  解放部
６  ホルダ本体
７  窓
８  切り込み部
８１  紙葉留め
【図１】
2007008130.tif 000003
【図２】
2007008130.tif 000004
【図３】
2007008130.tif 000005
【図４】
2007008130.tif 000006